(57)【特許請求の範囲】
【請求項１】
足の位置を指示する第一の指示部材及びボールの位置を指示する第二の指示部材を有するゴルフスタンス指示具において、第一の指示部材を両方向に伸縮可能な金属薄板とその収納部により構成し、第二の指示部材を一方向に伸縮可能な金属薄板とその収納部により構成するとともに、第一の指示部材の収納部に第二の指示部材の収納部を直角に設置したことを特徴とするゴルフスタンス指示具。
【請求項２】
第一の指示部材又は第二の指示部材の少なくとも一方の先端部に係止具を設けたことを特徴とする請求項１に記載のゴルフスタンス指示具。
【請求項３】
第一の指示部材及び第二の指示部材の先端部又は収納部に弾性材料からなる保護部材を設置したことを特徴とする請求項１又は２に記載のゴルフスタンス指示具。
【発明の詳細な説明】
【０００１】
【発明の属する技術分野】
本発明は、ゴルフスイング時のスタンスの基本であるゴルフボールの位置、左右両足先の位置を測定指示し、各ゴルフクラブに合わせて最適なスタンスを再現指示することのできる、ゴルフスタンス指示具に関する。
【０００２】
【従来の技術】
一般に、ゴルフは、使用するゴルフクラブの種類に対応して、それぞれの足の位置である立ち位置すなわち両足の開き具合であるスタンスとゴルフボールを載置する位置を調節することが必要となる。そして、この使用するゴルフクラブ、スタンスおよびゴルフボールの位置関係は身長や柔軟性、腕の長さなどにより人それぞれ異なるものである。
ところで、スイングフォームが確立されていないゴルフ経験の浅い初級者や中級者などでは、使用するゴルフクラブ、スタンスおよびゴルフボールの位置関係が一打ごとに異なるので、一打ごとに安心してインパクトできず弾道が異なり、所望の位置にゴルフボールを打ち込むことができない。
【０００３】
そのため、従来からゴルフ練習場において使用するゴルフ用スタンス矯正具やゴルフ用スタンス指示器具が種々提案されている。このようなゴルフ用スタンス矯正具やゴルフ用スタンス指示器具には、ゴルフボールの飛打方向指示体とゴルフボールの設定位置指示体とを直交させた状態にして固定したもの（例えば、特開平７−１００２３７号公報）、使用するときに直交させた状態にして固定金具を用いてその直交させた状態に維持するもの（特開平９−２４８３５９号公報）、直交部分で回動する直交設定機構とゴルフボールの設定位置変化に合わせて長さの調整ができるものを組合せたもの（特開平１０−９４６２９号公報）、足先の指示部材とボールの指示部材を回動可能に連結したもの（特開２０００−５３６４号公報）等がある。
【０００４】
しかしながら、これら従来のゴルフスタンス指示具は、いずれも棒状の剛性材料により指示具を構成するものであり、折り畳んだ状態でもかさばるので、運搬や保管に一定のスペースを必要とするという問題点がある。
また、使用者が誤って指示具をゴルフクラブで打撃した場合に、剛性の棒性体が打撃の反動により使用者に当たって負傷させたり、周辺の器具類を損傷させるおそれがある。
【０００５】
【発明が解決しようとする課題】
したがって、本発明はこれら従来技術の問題点を解消して、簡単な構造で各ゴルフクラブに対応した足の位置及びゴルフボールの位置を簡単かつ確実に再現することができ、使用者が誤って指示具を打撃した場合にも使用者や周辺の器具類を損傷するおそれがなく、しかも不使用時にはコンパクトなサイズにして運搬や保管を容易にすることができるゴルフスタンス指示具を提供することを目的とする。
【０００６】
【課題を解決するための手段】
本発明は、上記課題を解決するために、つぎのような構成を採用する。
１．足の位置を指示する第一の指示部材及びボールの位置を指示する第二の指示部材を有するゴルフスタンス指示具において、第一の指示部材を両方向に伸縮可能な金属薄板とその収納部により構成し、第二の指示部材を一方向に伸縮可能な金属薄板とその収納部により構成するとともに、第一の指示部材の収納部に第二の指示部材の収納部を直角に設置したことを特徴とするゴルフスタンス指示具。
２．第一の指示部材又は第二の指示部材の少なくとも一方の先端部に係止具を設けたことを特徴とする１に記載のゴルフスタンス指示具。
３．第一の指示部材及び第二の指示部材の先端部又は収納部に弾性材料からなる保護部材を設置したことを特徴とする１又は２に記載のゴルフスタンス指示具。
【０００７】
【発明の実施の形態】
つぎに、図面に基づいて本発明の実施の形態を詳細に説明するが、以下の具体例は本発明を限定するものではない。
図１〜図５は、本発明のゴルフスタンス指示具の１例を示す図であり、図１はゴルフスタンス指示具の斜視図、図２はその平面図、図３は図２のＡＡ線における断面図、図４は図２のＢＢ線における断面図、そして図５はこのゴルフスタンス指示具の使用状態を説明する図である。
【０００８】
このゴルフスタンス指示具１では、足の位置を指示する第一の指示部材２を金属薄板等からなる剛性を有する２個の巻尺３、４及びその収納部５により構成するとともに、ボールの位置を指示する第二の指示部材６を金属薄板等から剛性を有する巻尺７及びその収納部８により構成する。そして、巻尺７の収納部８は、巻尺３、４の収納部５の略中央部に直角に配置した状態で一体に構成されている。
各巻尺３、４及び７の先端部には、巻尺を引出し伸展させた状態で係止する折り畳み可能なピン、フック等の係止具１１、１２及び１３が設けられ巻尺の収納部５及び８の端部には、巻尺を伸展させた状態で固定する固定具１４、１５及び１６が設けられている。
【０００９】
このゴルフスタンス指示具１を使用するには、図５にみられるように、例えばドライバーのようなあるゴルフクラブに適したボール１７、左足１８及び右足１９の位置を定め、両足先端部を結ぶ直線に対してボール１７からおろした垂線が交わる位置にゴルフスタンス指示具１を配置する。
つぎに、収納部５から巻尺３及び４を引出して左足先１８及び右足先１９の位置に合わせて係止具１１及び１２で係止するとともに、巻尺３及び４を固定具１４及び１５により固定する。同様に収納部８から巻尺７を引出してボール１７の位置に合わせて係止具１３で係止するとともに、巻尺７を固定具１６により固定する。この状態でゴルフスタンス指示具１から左足先１８及び右足先１９までの距離ならびにボール１７までの距離をそれぞれ測定するとともに、必要に応じてペン、マーカー等で各巻尺３、４、７に印をつける。この際に、左右両足先までの距離及びゴルフボールまでの距離を測定する順序を適宜変更できることは言うまでもない。
【００１０】
このゴルフスタンス指示具１は、上記のように伸展した状態でティーグランド等に設置し、巻尺３及び４により構成された足の位置を指示する第一の指示部材２を通常は打球の打出し方向と平行に配置し、そのまま使用することができる。また、ボール１７の位置をティー等により確認した後に、ボールの位置を指示する第二の指示部材６を構成する巻尺７を、収納部８の方向に部分的に又は完全に巻取って使用してもよい。
このゴルフスタンス指示具１を使用すれば、必要に応じて上級者等のアドバイスを得ることにより、各ゴルフクラブに最適のボールの位置及びスタンスの位置を確認することが可能となり、次回にゴルフの練習をする際に、各ゴルフクラブに最適のボール及びスタンスの位置を直ちに再生することができるので、効率よくゴルフの練習を行なうことが可能になる。
【００１１】
また、このゴルフスタンス指示具１では、第一の指示部材２及び第二の指示部材６を金属薄板等からなる剛性と弾性を有する巻尺３、４及び７により構成したことにより、ゴルフの練習中に誤ってゴルフクラブがゴルフスタンス指示具１に接触した場合にも、巻尺３、４及び７は弾性により曲折するか、もしくはそれぞれ収納部５又は８内に巻取られるので、従来の棒状体からなるゴルフスタンス指示具のように使用者を負傷させたり、周辺の器具類を損傷させることがない。
また、使用後には第一の指示部材２及び第二の指示部材を構成する巻尺３、４及び７を収納部５及び８内に巻取って収納することにより、きわめてコンパクトなサイズとすることができるので、運搬や保管に便利である。
なお、この例では第一及び第二の指示部材を金属薄板等からなる巻尺により構成したが、このような巻尺に代えて金属、プラスチック、あるいはこれらの複合材料等からなる剛性と弾性を有する折り畳み伸展可能な折尺により、第一及び第二の指示部材を構成してもよい。また、巻尺７の収納部８を巻尺３、４の収納部５の中央部ではなく、左右いずれかの端部よりの位置にずらせて直角に配置するようにしてもよい。
【００１２】
図６は、本発明に関連するゴルフスタンス指示具の１例を示す図である。
このゴルフスタンス指示具２１では、足の位置を指示する第一の指示部材２を金属薄板等からなる巻尺３及びその収納部５により構成するとともに、ボールの位置を指示する第二の指示部材６を同様の巻尺７及びその収納部８により構成する。そして、収納部５及び８は軸等の回動部９により回動可能に連結され、その連結部には第一の指示部材２と第二の指示部材６がなす角度を測定するために、分度器１０を設けてある。また、収納部５の基部及び巻尺３、７の先端部には折り畳み可能なピン、フック等の係止具１１、１２及び１３が設けられ、巻尺の収納部５及び８には巻尺を伸展させた状態で固定する固定具１４及び１５が設けられている。
【００１３】
このゴルフスタンス指示具２１を使用するには、例えば右利きの使用者の場合には、図６にみられるように、左足１８及び右足１９の位置を定め、左足１８の先端部に巻尺３の収納部５の基部を配置し、係止具１１で係止するとともに、巻尺３を引出して右足１９の先端部に係止具１２で係止する。つぎに、巻尺７の収納部８をボール１７の方向に回動させた後に、巻尺７を引出してボール１７の位置に合わせて係止具１３により係止する。そして、巻尺３及び７は、引出した状態でそれぞれ固定具１４及び１５により固定する。
【００１４】
この状態で両足先１８、１９間の距離及び左足先１８からボール１７までの距離、ならびに巻尺３と巻尺７がなす角度を測定するとともに、必要に応じてペン、マーカー等で巻尺３、７及び分度器１０に印をつける。
このゴルフスタンス指示具２１の使用方法及びその奏する効果は、図１〜５のゴルフスタンス指示具１と基本的に同様であるが、この指示具２１ではボール１７及び左足１８、右足１９により構成される三角形を、左右両足間の距離１８・１９と、左足とボールとの距離１８・１７、ならびに両者のなす角度により規定し、再現するものである。
なお、巻尺３、７に代えて金属、プラスチック、あるいはこれらの複合材料等からなる剛性と弾性を有する折り畳み伸展可能な折尺により、第一及び第二の指示部材を構成してもよい。
【００１５】
図７は、本発明に関連するゴルフスタンス指示具の他の例を示す図である。
このゴルフスタンス指示具３１では、足の位置を指示する第一の指示部材２を金属薄板等からなる巻尺３及びその収納部５により構成する。また、ボールの位置を指示する第二の指示部材６は、巻尺３の収納部５に回動部９１により回動可能に連結した同様の巻尺７１とその収納部８１、ならびに巻尺３の先端部に回動部９２により回動可能に連結した同様の巻尺７２とその収納部８２により構成する。巻尺３の収納部５及び巻尺７２の収納部８２の基部にはピン、フック等の係止具、１１、１２が設けられ、また、巻尺７１及び７２の先端部にも係止具１３、１３が設けられてる。そして、巻尺３、７１、７２は引出した状態でそれぞれ固定具１４、１５、１６により固定する。
【００１６】
この状態で両足先１８、１９間の距離、左足先１８からボール１７までの距離及び右足先１９からボール１７までの距離をそれぞれ測定するとともに、必要に応じてペン、マーカー等で巻尺３、７１及び７２に印をつける。
このゴルフスタンス指示具３１の使用方法及びその奏する効果は、図１〜５のゴルフスタンス指示具１と基本的に同様であるが、この指示具３１ではボール１７及び左足１８、右足１９により構成される三角形を、三角形の三辺の長さにより規定し、再現するものである。なお、巻尺３、７１及び７２に代えて金属、プラスチック、あるいはこれらの複合材料等からなる剛性と弾性を有する折り畳み伸展可能な折尺により、第一及び第二の指示部材を構成してもよい。
【００１７】
図８は、本発明に関連するゴルフスタンス指示具のさらに他の例を示す図である。
このゴルフスタンス指示具４１では、足の位置を指示する第一の指示部材２を金属薄板等からなる巻尺３及びその収納部５により構成する。また、ボールの位置を指示する第二の指示部材６は、巻尺３の収納部５及び先端部に設けた２本のひも４７、４７及びその収納部４８、４８により構成する。巻尺３の収納部５及び先端部には、それぞれひも４７と巻尺３のなす角度を測定するための分度器１０、１０を設けるとともに、収納部５の基部及び巻尺３の先端部にはピン、フック等の係止具１１、１２を設ける。また、２本のひも４７、４７の先端にも係止具１３、１３を設けるとともに、巻尺３は引出した状態で固定具１４により固定する。
【００１８】
このゴルフスタンス指示具４１では、２本のひも４７、４７の長さを左右両足の先端１８、１９からボール１７までの距離よりも長くなるように構成し、ボール１７の位置で２本のひも４７、４７を交差させ、その先でそれぞれ係止具１３、１３により係止する。
この状態で両足先１８、１９間の距離、ならびにボール１７・左足１８・右足１９のなす角度及びボール１７・右足１９・左足１８のなす角度をそれぞれ測定するとともに、必要に応じてペン、マーカー等で巻尺３及び分度器１０、１０に印をつける。
すなわち、この指示具４１は、ボール１７、左足１８及び右足１９により構成される三角形を、三角形の底辺に相当する左右両足間の距離とその両側の角度により規定し、再現するものである。
【００１９】
このゴルフスタンス指示具４１の使用方法及びその奏する効果は、上記各例のゴルフスタンス指示具と基本的に同様である。
なお、巻尺３に代えて金属、プラスチック、あるいはこれらの複合材料等からなる剛性と弾性を有する折り畳み伸展可能な折尺により、第一の指示部材を構成してもよい。
また、上記各例のゴルフスタンス指示具では、第一の指示部材及び第二の指示部材の先端部又は収納部に、ゴム、弾性プラスチック等からなる保護部材を設置することによって、ゴルフクラブが指示具に接触したときの衝撃をさらに緩和するようにしてもよい。
【００２０】
【発明の効果】
上記の構成をとることによって、本発明のゴルフスタンス指示具では次のような顕著な効果を奏する。
（１）簡単な構造で安価に製造することができる。
（２）各ゴルフクラブに対応した最適の足の位置及びボールの位置を容易にかつ確実に再現することができる。
（３）不使用時には、きわめてコンパクトなサイズとすることができるので、運搬や保管が容易である。
（４）使用者が誤ってゴルフスタンス指示具を打撃した場合にも、使用者や周辺の器具等を損傷するおそれがない。
【図面の簡単な説明】
【図１】  本発明のゴルフスタンス指示具の１例を示す斜視図である。
【図２】  図１のゴルフスタンス指示具の平面図である。
【図３】  図２のＡＡ線における断面図である。
【図４】  図２のＢＢ線における断面図である。
【図５】  図１のゴルフスタンス指示具の使用状態を説明する図である。
【図６】  本発明に関連するゴルフスタンス指示具の１例を示す図である。
【図７】  本発明に関連するゴルフスタンス指示具の他の例を示す図である。
【図８】  本発明に関連するゴルフスタンス指示具の他の例を示す図である。
【符号の説明】
１、２１、３１、４１          ゴルフスタンス指示具
２                            第一の指示部材
３、４、７、７１、７２        巻尺
５、８、８１、８２            巻尺収納部
６                            第二の指示部材
９、９１、９２                回動部
１０                          分度器
１１、１２、１３              係止具
１４、１５、１６              固定具
１７                          ボール
１８                          左足
１９                          右足
４７                          ひも
４８                          ひも収納部
【図１】
0004627613.tif 000002
【図２】
0004627613.tif 000003
【図３】
0004627613.tif 000004
【図４】
0004627613.tif 000005
【図５】
0004627613.tif 000006
【図６】
0004627613.tif 000007
【図７】
0004627613.tif 000008
【図８】
0004627613.tif 000009